【手続補正書】
【提出日】平成22年8月17日(2010.8.17)
【手続補正１】
【補正対象書類名】特許請求の範囲
【補正対象項目名】全文
【補正方法】変更
【補正の内容】
【特許請求の範囲】
【請求項１】
ＩＰＴＶクライアント（１０３）と、前記ＩＰＴＶクライアントのプレゼンス状態を記憶するＩＭＳプレゼンス・サーバ（１２８）と、ＩＰＴＶサービス・プロバイダ（１１０）とを備えるＩＰＴＶシステムにおいてパーソナライズされた広告を管理する方法であって、前記ＩＰＴＶサービス・プロバイダはユーザ嗜好データベース（１０９）と広告プロバイダ・データベース（１０８）と宣伝アプリケーション・サーバ（１０５）とを備え、
前記方法は前記宣伝アプリケーション・サーバで実行され、
前記方法は、
‐前記ＩＭＳプレゼンス・サーバから受信された前記ユーザのプレゼンス状態の更新の通知から、前記ＩＰＴＶクライアントにおけるユーザ・プレゼンスを検出するステップと、
‐前記ユーザ嗜好データベースから前記検出されたユーザの嗜好を受信するステップと、
‐前記広告プロバイダ・データベースから相異なる広告プロバイダからの広告に関する情報を受信するステップと、
‐前記受信されたユーザ嗜好と前記受信された広告に関する情報とをマッチングするステップと、
‐前記広告と前記嗜好との間にマッチングが存在する場合に、一つ以上の広告を選択するステップと
を有することを特徴とする方法。
【請求項２】
前記ＩＰＴＶクライアントへの選択された広告の送信を開始するステップをさらに有することを特徴とする請求項１に記載の方法。
【請求項３】
前記検出するステップは前記システムへのユーザ・ログインに関する通知を含むことを特徴とする請求項１に記載の方法。
【請求項４】
前記選択するステップはベスト・マッチング基準を含むことを特徴とする請求項１に記載の方法。
【請求項５】
前記選択するステップは一番人気広告基準と組み合わせたベスト・マッチング基準を含むことを特徴とする請求項１に記載の方法。
【請求項６】
前記方法は、前記宣伝アプリケーション・サーバで実行される、
‐二つ以上の広告プロバイダからの広告が選択されたことを検出／判定するステップと、
‐トランザクション・ブローカ・ノードにオークション案内を送信するステップと、
‐最高金額入札を有する広告プロバイダに関する情報を受信するステップと、
‐最高金額入札者からユーザへの広告の送信を開始するステップと
をさらに有することを特徴とする請求項１に記載の方法。
【請求項７】
前記送信を開始するステップは、広告メディア・レポジトリに送信される認可コンテンツ転送情報と、メディア・サーバに送信されるストリーミング広告開始情報とを含むことを特徴とする請求項６に記載の方法。
【請求項８】
ＩＰＴＶシステム内のＩＰＴＶクライアントに供給されるパーソナライズされた広告を管理する前記システム内の宣伝アプリケーション・サーバ（１０５）であって、
‐ＩＭＳプレゼンス・サーバ（１２８）から受信された前記ユーザのプレゼンス状態の更新の通知から、前記ＩＰＴＶクライアントにおけるユーザ・プレゼンスを検出する検出ユニットと、
‐前記検出されたユーザからのプレゼンスのための入力部と、
‐相異なる広告プロバイダからの広告に関する情報のための入力部と、
‐ユーザ嗜好と広告に関する情報とをマッチングするマッチング・プロセッサと、
‐広告を選択して、一つの広告プロバイダからの広告が選択されているかどうかを判定する選択ユニットと、
‐前記クライアントへの前記一つ以上の広告の前記供給を開始する送信ユニットと
を備えることを特徴とする宣伝アプリケーション・サーバ。
【請求項９】
前記検出ユニットは、前記ＩＭＳプレゼンス・サーバに接続されており、前記パーソナライズされた宣伝テレビ・サービスの加入者のプレゼンス状態のための加入契約を有することを特徴とする請求項８に記載の宣伝アプリケーション・サーバ。
【請求項１０】
前記パーソナライズされた宣伝テレビ・サービスの加入者に関して前記検出ユニットに通知するための、前記検出ユニットに接続された加入者記憶装置をさらに備えることを特徴とする請求項８に記載の宣伝アプリケーション・サーバ。
【請求項１１】
前記選択ユニットは二つ以上の広告プロバイダが選択されているかを判定することを特徴とする請求項８に記載の宣伝アプリケーション・サーバ。
【請求項１２】
前記トランザクション・ブローカに広告オークション機会を送信して、最高金額入札を有する広告プロバイダに関する情報を受信する、前記選択ユニット及び前記トランザクション・ブローカに接続されたオークション通信ユニットをさらに備えることを特徴とする請求項１１に記載の宣伝アプリケーション・サーバ。
【請求項１３】
パーソナライズされた広告をＩＰＴＶクライアント（１０３）に供給するＩＰＴＶシステムであって、
‐前記ＩＰＴＶクライアントにおけるユーザ・プレゼンスを判定するＩＭＳプレゼンス・サーバ（１２８）と、
‐ユーザ嗜好を記憶するユーザ嗜好データベース（１０９）と、
‐前記ＩＭＳプレゼンス・サーバから受信された前記ユーザのプレゼンス状態の更新の通知によって前記ＩＰＴＶユーザ・プレゼンスが検出された際に、前記データベース内のユーザ嗜好と利用可能な広告とをマッチングして、前記ＩＰＴＶクライアントへのマッチングされた広告の前記供給を開始する宣伝アプリケーション・サーバ（１０５）と
を備えるテレビ・システム。
【請求項１４】
前記宣伝アプリケーション・サーバ（１０５）に利用可能な広告を送信するために、相異なる広告プロバイダから記憶された前記利用可能な広告を有する広告プロバイダ・データベース（１０８）をさらに備えることを特徴とする請求項１３に記載のＩＰＴＶシステム。
【請求項１５】
広告オークション機会が前記宣伝アプリケーション・サーバから受信された際にオークションを実行して、最高金額入札を有する前記広告プロバイダに関する情報を前記宣伝アプリケーション・サーバに返送する、前記宣伝アプリケーション・サーバ（１０５）に接続されたトランザクション・ブローカをさらに備えることを特徴とする請求項１３に記載のＩＰＴＶシステム。
【請求項１６】
パーソナライズされた広告をＩＰＴＶクライアントに供給するＩＰＴＶシステムにおける方法であって、前記ＩＰＴＶクライアントのプレゼンス状態がＩＭＳプレゼンス・サーバ（１２８）に記憶されており、ユーザ嗜好がユーザ嗜好データベース（１０９）に記憶されており、利用可能な広告分野が広告プロバイダ・データベースに記憶されており、
前記方法は宣伝アプリケーション・サーバ（１０５）により実行され、
前記方法が、
‐前記ＩＭＳプレゼンス・サーバを用いて前記ＩＰＴＶクライアントにおけるユーザ・プレゼンスを監視して、前記ＩＭＳプレゼンス・サーバから受信された前記ユーザのプレゼンス状態の更新の通知からユーザ・プレゼンスを検出するステップと、
‐ユーザ嗜好と利用可能な広告とをマッチングするステップと、
‐前記ＩＰＴＶクライアントに供給される一つ以上の広告を選択するステップと
を有することを特徴とする方法。
【請求項１７】
二つ以上の広告プロバイダが前記選択するステップにおいて選択された広告を有している場合に、
‐広告オークション機会をトランザクション・ブローカで開始するステップと、
‐前記トランザクション・ブローカが前記オークションを実行して最高金額入札者を判定するステップと、
‐前記ＩＰＴＶクライアントに最高金額入札者からのマッチングされた広告を送信するステップと
をさらに有することを特徴とする請求項１６に記載の方法。
【請求項１８】
一つの広告プロバイダが前記選択するステップにおいて選択された広告を有する場合に、前記ＩＰＴＶクライアントに選択された広告を示すステップをさらに有することを特徴とする請求項１６に記載の方法。
【請求項１９】
ユーザが前記リスト内の何れかの広告を選んだ場合に、前記選択された広告が前記ユーザに示されることを特徴とする請求項１８に記載の方法。
【請求項２０】
‐前記ユーザに示された広告において前記ＩＰＴＶクライアントを用いて相互作用するステップと、
‐相互作用情報でユーザ嗜好データベース（１０９）を更新するステップと
をさらに有することを特徴とする請求項１７又は１８に記載の方法。
【請求項２１】
前記ＩＰＴＶプロバイダに代金を支払うステップをさらに有することを特徴とする請求項１６乃至２０の何れか１項に記載の方法。